(57)【特許請求の範囲】
【請求項１】
飛翔昆虫を捕獲する飛翔昆虫用捕獲器であって、
青色の部分と黒色の部分とを含む捕獲器本体を備えた飛翔昆虫用捕獲器。
【請求項２】
請求項１に記載の飛翔昆虫用捕獲器において、
前記捕獲器本体は、内部への入口が形成された容器である飛翔昆虫用捕獲器。
【請求項３】
請求項２に記載の飛翔昆虫用捕獲器において、
前記入口の周辺部分は、青色及び黒色の少なくとも１つに着色されている飛翔昆虫用捕獲器。
【請求項４】
請求項１乃至３の何れか１つに記載の飛翔昆虫用捕獲器において、
前記捕獲器本体は、青色の部分と黒色の部分とで形成される境界線を有している飛翔昆虫用捕獲器。
【請求項５】
飛翔昆虫を捕獲する飛翔昆虫用捕獲器であって、
捕獲器本体を備え、
前記捕獲器本体は、該捕獲器本体内への入口が形成された部分を少なくとも有し、
前記入口が形成された部分は、緑色又は青色の部分と黒色の部分とを含む飛翔昆虫用捕獲器。
【発明の詳細な説明】
【技術分野】
【０００１】
本発明は、飛翔昆虫を捕獲する飛翔昆虫用捕獲器に関するものである。
【背景技術】
【０００２】
従来より、ハエ類等の飛翔昆虫を捕獲するための飛翔昆虫用捕獲器の開発が盛んに行われている。このような飛翔昆虫用捕獲器においては、飛翔昆虫を捕獲器へ如何に誘引するかが重要となる。飛翔昆虫の誘引効果を向上させるために、飛翔昆虫の嗅覚に訴求すべく、誘引剤に工夫を施すことがよく行われる。近年、嗅覚による誘引とは別の方法として、捕獲器を構成する容器の色を工夫することも行われている（例えば、特許文献１）。
【０００３】
特許文献１に係る飛翔昆虫用捕獲器においては、容器を緑に着色している。これにより、飛翔昆虫の視覚による誘引性が向上することが記載されている。
【先行技術文献】
【特許文献】
【０００４】
【特許文献１】特開２００３−１５３６４５号公報
【発明の概要】
【発明が解決しようとする課題】
【０００５】
しかしながら、飛翔昆虫の色選好性については解明されていないことも多い。そのため、視覚による誘引効果については、まだまだ開発途中であり、さらなる改良の余地がある。
【０００６】
本発明は、かかる点に鑑みてなされたものであり、その目的とするところは、飛翔昆虫用捕獲器の色によって飛翔昆虫の誘引効果を向上させることにある。
【課題を解決するための手段】
【０００７】
本発明は、飛翔昆虫を捕獲する飛翔昆虫用捕獲器が対象である。そして、飛翔昆虫用捕獲器は、緑色又は青色の部分と黒色の部分とを含む捕獲器本体を備えているものとする。
【０００８】
前記の構成によれば、捕獲器本体が緑色や青色や黒色の単色に着色されている場合と比較して、より多くの飛翔昆虫を捕獲器本体まで誘引することができる。
【０００９】
また、前記捕獲器本体は、内部への入口が形成された容器であってもよい。
【００１０】
さらに、前記入口の周辺部分は、緑色若しくは青色並びに黒色の少なくとも１つに着色されていることが好ましい。
【００１１】
前記の構成によれば、容器を緑色又は青色の部分と黒色の部分とを含んで構成することによって容器まで誘引した飛翔昆虫を、さらに容器の入口まで誘引して、飛翔昆虫に入口から容器内への侵入を促すことができる。
【００１２】
さらに、前記捕獲器本体は、緑色又は青色の部分と黒色の部分とで形成される境界線を有していることが好ましい。
【００１３】
前記捕獲器本体において、緑色又は青色の部分と黒色の部分とが、離れて存在するよりも、互いに隣接して存在する方が、高い誘引効果を発揮することができる。
【発明の効果】
【００１４】
本発明によれば、捕獲器本体を緑色又は青色の部分と黒色の部分とを含んで構成することによって、飛翔昆虫の誘引効果を飛躍的に向上させることができる。
【図面の簡単な説明】
【００１５】
【図１】本発明の実施形態１に係る飛翔昆虫用捕獲器の斜視図である。
【図２】飛翔昆虫用捕獲器の正面図である。
【図３】飛翔昆虫用捕獲器の平面図である。
【図４】図３のIV−IV線における断面図である。
【図５】図４のＶ−Ｖ線における断面図である。
【図６】変形例に係る飛翔昆虫用捕獲器の斜視図である。
【図７】変形例に係る飛翔昆虫用捕獲器の縦断面図である。
【図８】実施形態２に係る飛翔昆虫用捕獲器の正面図である。
【図９】別の色模様を有する実施形態２に係る飛翔昆虫用捕獲器の正面図である。
【図１０】変形例に係る飛翔昆虫用捕獲器の斜視図である。
【図１１】試験１の試験条件を示す説明図である。
【図１２】キイロショウジョウバエの色選好性を示すグラフである。
【図１３】試験２に用いた試験片を示す斜視図である。
【図１４】試験片の側面図である。
【図１５】試験２の試験条件を示す説明図である。
【図１６】試験２の試験結果を示すグラフである。
【図１７】試験３の試験結果を示すグラフである。
【図１８】試験４の試験結果を示すグラフである。
【図１９】試験５の試験結果を示すグラフである。
【図２０】試験６の試験結果を示すグラフである。
【図２１】試験７の試験結果を示すグラフである。
【図２２】試験８に用いた試験片を示す平面図であり、（Ａ）は全面黒色の試験片を、（Ｂ）は黒色と緑色とに半々に色分けした試験片を、（Ｃ）は黒色の部分と緑色の部分との間に白色の帯状部分が形成された試験片を示す。
【図２３】試験８の試験結果を示すグラフである。
【発明を実施するための形態】
【００１６】
以下、本発明の実施形態を図面に基づいて詳細に説明する。
【００１７】
《発明の実施形態１》
図１に本発明の例示的な実施形態１に係る飛翔昆虫用捕獲器１の斜視図を、図２に飛翔昆虫用捕獲器１の正面図を、図３に飛翔昆虫用捕獲器１の平面図を、図４に図３のIV−IV線における断面図を、図５に図４のＶ−Ｖ線における断面図を示す。
【００１８】
飛翔昆虫用捕獲器（以下、単に「捕獲器」ともいう）１は、下部容器２と、該下部容器２に取り付けられる上部容器３とを備えている。これら下部容器２及び上部容器３が容器、即ち、捕獲器本体を構成する。
【００１９】
下部容器２は、有底筒状の容器であって、円形の底壁２１と、底壁２１の周縁に立設する円筒状の内壁２２と、内壁２２の上端部から下方に向かって広がる円錐台の側周面状の外壁２３と、底壁２１の中心に立設する円柱状の支柱２４とを有している。下部容器２は、内壁２２の上端において上方に開口している。外壁２３の外周面には、円錐台の母線に沿って延びる複数の縦溝２３ａ，２３ａ，…が周方向に連続的に形成されている。支柱２４の先端部には、それ以外の部分と比べて外径が小さくなった縮径部２４ａが設けられている。下部容器２内には、円環状の薬剤含浸マット２５が収容されている。薬剤含浸マット２５は、中央の開口に支柱２４が層通された状態で底壁２１上に載置されている。薬剤含浸マット２５は、例えば、不織布であって、誘引剤と殺虫剤とが含浸されている。
【００２０】
上部容器３は、概ね円筒状の周壁３１と、周壁３１の上端縁に連結された上壁３２とを有している。上部容器３は、周壁３１の下端において下方に開口している。周壁３１は、下方に向かって緩やかに広がっている。周壁３１の下端縁の内径は、下部容器２の上端縁の外径よりも大きくなっている。上壁３２は、すり鉢状又は漏斗状に形成されており、周壁３１の上端縁から中央に向かって下方に窪んでいる。上壁３２には、互いに間隔を空けて周方向に並んだ複数の上部入口３２ａ，３２ａ，…が貫通形成されている。また、上壁３２の中央部３２ｂは、窪みながら下方に向かって延びて、略円筒状に形成されている。この中央部３２ｂの下端を下部容器２の支柱２４の縮径部２４ａに嵌め込むことによって、上部容器３が下部容器２に取り付けられている。
【００２１】
上部容器３を下部容器２に取り付けた状態においては、上部容器３の周壁３１の下端縁と、下部容器２の外壁２３の上端縁との間に隙間が形成されている。この隙間は、下部容器２及び上部容器３の全周に亘って形成されている。この隙間によって下部入口３３が構成されている。すなわち、捕獲器１は、上部容器３の上壁３２に設けられた上部入口３２ａ，３２ａ，…と、上部容器３の下端縁と下部容器２との間に形成される下部入口３３との２種類の入口を有している。つまり、飛翔昆虫は、上部容器３の上壁３２に留まった後、上壁３２の上部入口３２ａから捕獲器１内へ侵入するか、あるいは、下部容器２の外壁２３に止まった後、該外壁２３を這い上がり下部入口３３から捕獲器１内へ侵入する。捕獲器１内においては、飛翔昆虫は薬剤含浸マット２５に引き寄せられるか、捕獲器１内を飛び回る。これら上部入口３２ａと下部入口３３が入口を構成する。
【００２２】
尚、下部入口３３の寸法は、捕獲する飛翔昆虫によって異なる。例えば、ハエ類、コバエ類であれば、３ｍｍ以上１０ｍｍ以下が好ましく、ハチ類であれば、１０ｍｍ以上２０ｍｍ以下が好ましい。下部入口３３をこのような寸法にすることによって、飛翔昆虫が下部容器２の外壁２３を這い上がって、下部入口３３から捕獲器１内に容易に侵入することができる。一方、捕獲器１内を飛び回る飛翔昆虫にとっては、下部入口３３の寸法は、捕獲器１内に飛び出ていくには小さすぎる。つまり、飛翔昆虫によって入りやすくて、出にくい下部入口３３とすることができる。
【００２３】
このように構成された捕獲器１において、下部容器２が黒色に、上部容器３が緑色に着色されている。ここで、緑とは、マンセルシステムの色相において１ＧＹ〜１０ＢＧに相当する色を意味する。
【００２４】
こうして、捕獲器１を黒色と緑色とに着色することによって、飛翔昆虫の視覚による誘引性を向上させることができる。そもそも、黒色及び緑色はそれぞれ、単色でも高い誘引性を有する。ところが、これらを組み合わせることによって、単色の場合に比べて、誘引性を飛躍的に向上させることができる。
【００２５】
また、上部入口３２ａ，３２ａ，…の周辺部分は、緑色に着色されていると共に、下部入口３３の周辺部分は、黒色（下部容器２）と緑色（上部容器３）とに着色されている。上部入口３２ａ，３２ａ，…の周辺部分及び下部入口３３の周辺部分を、黒色及び緑色の少なくとも１つで着色することによって、捕獲器１に飛来した飛翔昆虫を上部入口３２ａ，３２ａ，…及び下部入口３３まで誘引して、捕獲器１内への侵入を促すことができる。すなわち、前述の如く、捕獲器１から離れた位置に存在する飛翔昆虫を、捕獲器１を緑色と黒色とに着色することによって捕獲器１まで誘引し、それに加えて、捕獲器１の入口を黒色及び緑色の少なくとも１つで着色することによって捕獲器１の入口まで、さらに誘引することができる。これにより、捕獲器１の捕獲率をさらに向上させることができる。
【００２６】
さらに、捕獲器１は、黒色の部分と緑色の部分とで形成される境界線を有する。この境界線、即ち、黒色と緑色とが切り換わる部分が存在することによって、飛翔昆虫の誘引性をさらに向上させることができる。
【００２７】
−変形例−
続いて、捕獲器の変形例について図６，７を参照しながら説明する。図６に変形例に係る飛翔昆虫用捕獲器の斜視図を、図７に変形例に係る飛翔昆虫用捕獲器の縦断面図を示す。
【００２８】
変形例に係る捕獲器２０１は、下部容器２０２と、該下部容器２０２に取り付けられる上部容器２０３とを備えている。これら下部容器２０２と上部容器２０３とが容器、即ち、捕獲器本体を構成する。
【００２９】
下部容器２０２は、有底筒状の容器であって、円形の底壁２２１と、底壁２２１の周縁に立設する円筒状の周壁２２２とを有している。下部容器２０２は、周壁２２２に上端において上方に開口している。下部容器２０２の底壁２２１上には、円盤状の薬剤含浸マット２２５が載置されている。薬剤含浸マット２２５は、例えば、不織布であって、誘引剤と殺虫剤とが含浸されている。
【００３０】
上部容器２０３は、平面視円形の蓋状の部材であって、短い円筒状の周壁２３１と、周壁２３１の上端縁に連結された上壁２３２とを有している。上部容器２０３は、周壁２３１の下端において下方に開口している。周壁２３１の下端縁は、下部容器２０２の周壁２２２の上端縁に嵌り込むようになっている。つまり、周壁２３１の下端縁が下部容器２０２の周壁２２２の上端縁に嵌り込むことによって、上部容器２０３が下部容器２０２に取り付けられる。上壁２３２の中央には、下部容器２０２側に陥没する陥没部２３３が形成されている。陥没部２３３は、底部２３３ａと、底部２３３ａと上壁２３２とを連結する周壁部２３３ｂと有している。底部２３３ａは、その中央部が高く且つその周縁部が低い略球面形状をしている。また、底部２３３ａには、７つの入口２３３ｃ，２３３ｃ，…が貫通形成されている。詳しくは、相対的に大径の１つの入口２３３ｃが底部２３３ａの中央に形成され、相対的に小径の６つの入口２３３ｃ，２３３ｃ，…が該大径の入口２３３ｃを囲むようにして形成されている。周壁部２３３ｂには、上部容器２０３の径方向内側に突出する凸部２３３ｄと該径方向外側に陥没する凹部２３３ｅとが上部容器２０３の周方向に交互に形成されている。また、凸部２３３ｄ及び凹部２３３ｅを含む周壁部２３３ｂは、上側ほど外側に開くように傾斜している。
【００３１】
このように構成された捕獲器２０１において、下部容器２０２が緑色に、上部容器２０３が黒色に着色されている。ここで、緑は、マンセルシステムの色相において１ＧＹ〜１０ＢＧに相当する色を含む。
【００３２】
こうして、捕獲器２０１を黒色と緑色とに着色することによって、飛翔昆虫の視覚による誘引性を飛躍的に向上させることができる。
【００３３】
つまり、捕獲器２０１から離れた場所にいる飛翔昆虫が、捕獲器２０１を視認すると黒色と緑色との２色に誘引されて捕獲器２０１まで飛来してくる。捕獲器２０１に留まった飛翔昆虫は、薬剤含浸マット２２５に誘引されて上部容器２０３の入口２３３ｃへと進んでいく。このとき、上部容器２０３の入口２３３ｃの周囲の部分が黒色に着色されているため、捕獲器２０１に留まった飛翔昆虫を入口２３３ｃまでスムーズに誘導することができる。それに加えて、上部容器２０３の周壁部２３３ｂは、上側ほど外側に開くように傾斜しているため、飛翔昆虫が陥没部２３３に入り込み易くなっている。上部容器２０３の陥没部２３３に入り込んだ飛翔昆虫は、その陥没部２３３内で動き回り、やがて、薬剤含浸マット２２５により誘引されて入口２３３ｃから捕獲器２０１内に侵入する。捕獲器２０１内においては、飛翔昆虫は薬剤含浸マット２２５に引き寄せられるか、捕獲器２０１内を飛び回る。
【００３４】
尚、前記捕獲器１では、下部容器２が黒色に、上部容器３が緑色に着色されているが、これに限られるものではない。同様に、捕獲器２０１では、下部容器２０２が緑色に、上部容器２０３が黒色に着色されているが、これに限られるものではない。すなわち、捕獲器１，２０１の一部に黒色に着色された部分が存在し、別の一部に緑色に着色された部分があればよい。例えば、下部容器２，２０２と上部容器３，２０３とで色分けするものに限られず、下部容器２，２０２を黒色と緑色とに着色し、上部容器３，２０３を黒色と緑色とに着色してもよい。つまり、捕獲器１，２０１を黒色と緑色とに着色する構成においては、別部材に分かれる下部容器２，２０２と上部容器３，２０３とをそれぞれ黒色又は緑色の一色で着色することが、製造コストを削減する上で好ましいが、これに限られるものではない。さらには、下部容器２，２０２が任意の一色又は複数色に着色され、上部容器３，２０３が黒色と緑色とに着色されていてもよい。このように、捕獲器１，２０１に黒色の部分と緑色の部分とが含まれる限り、任意の配色パターンを採用することができる。
【００３５】
また、黒色の部分と緑色の部分の形状も、任意の形状とすることができる。例えば、黒色又は緑色の部分をストライプ状に形成したり、斑点状に形成してもよい。
【００３６】
さらには、捕獲器１，２０１の緑色に着色された部分は、青色に着色されていてもよい。ここで、青には、マンセルシステムの色相において１ＢＧ〜５ＰＢに相当する色を含む。さらには、マンセルシステムの色相において１Ｂ〜１０Ｂの範囲の色に着色することが好ましい。つまり、上部容器３は、緑色〜青色（マンセルシステムの色相で表せば、１ＧＹ〜５ＰＢ（より好ましくは、１ＧＹ〜１０Ｂ））に着色されていればよい。
【００３７】
尚、本実施形態では、飛翔昆虫として、昼行性の飛翔昆虫を対象としており、具体的には、ハチ類や、ハエ類（イエバエ、ニクバエ類、キンバエ類等）、コバエ類（ショウジョウバエ類、キノコバエ類、ノミバエ類等）等を含む。
【００３８】
《発明の実施形態２》
続いて、本発明の例示的な実施形態２について図８を参照しながら説明する。図８は、実施形態２に係る捕獲器３０１の正面図である。捕獲器３０１は、粘着層によって飛翔昆虫を捕獲する点で実施形態１に係る捕獲器１，２０１と異なる。
【００３９】
詳しくは、捕獲器３０１は、可撓性を有するリボン状の粘着シート３０２を備えている。この粘着シート３０２が捕獲器本体を構成する。この捕獲器３０１は、例えば、温室や工場内において吊り下げた状態で設置される。
【００４０】
粘着シート３０２は、長方形状に形成されている。粘着シート３０２の長手方向一端には、紐掛け用の補強部材３０３が設けられている。補強部材３０３には、粘着シート３０２の短手方向中央位置に、紐掛け用の貫通孔が形成されている。この貫通孔に紐３０４が掛けられている。尚、補強部材３０３は、補強の必要がなければ、省略してもよい。その場合には、粘着シート３０２に貫通孔が形成され、その貫通孔に紐が掛けられる。
【００４１】
粘着シート３０２の表面及び裏面には、黒と緑との縞模様が描かれている。詳しくは、粘着シート３０２の表裏面には、黒色の部分３０５と緑色の部分３０６とが、粘着シート３０２の長手方向に対して傾斜したストライプ状に交互に描かれている。また、粘着シート３０２の表裏面の表層には透明の粘着層が設けられている。
【００４２】
このように、捕獲器３０１を黒色と緑色とに着色することによって、飛翔昆虫の視覚による誘引性を飛躍的に向上させることができる。つまり、捕獲器３０１から離れた場所に存在する飛翔昆虫が、捕獲器３０１の粘着シート３０２を視認すると黒色と緑色との２色に誘引されて捕獲器３０１まで飛来し、粘着シート３０２に留まる。粘着シート３０２の表層には粘着層が設けられているため、飛翔昆虫は粘着層により捕獲される。
【００４３】
尚、粘着シート３０２は、板状の部材であってもよい。また、粘着シート３０２は、長方形状に限られるものではなく、任意の形状を採用することができる。また、粘着シート３０２の配色パターン、即ち、色模様は、上記の構成に限られるものではない。例えば、図９に示すように、粘着シート３０２を、黒地３０５に緑の水玉模様３０６を形成してもよい。さらに、粘着シート３０２は、黒の部分と緑の部分とを含む限り、それ以外の色を含んでいてもよい。
【００４４】
−変形例−
次に、実施形態２の変形例について図１０を参照しながら説明する。実施形態２の変形例に係る捕獲器４０１は、吊り下げタイプではなく、載置タイプである点で捕獲器３０１と異なる。
【００４５】
詳しくは、捕獲器４０１は、板状の粘着シート４０２を備えている。この粘着シート４０２が捕獲器本体を構成する。この捕獲器４０１は、例えば、温室や工場内において、台や床の上に載置される。
【００４６】
粘着シート４０２は、長方形状に形成されている。粘着シート４０２の表面（載置されたときに上（外方）を向く面）は、長手方向一方側の領域が黒色の部分４０３で、長手方向他方側の領域が緑色の部分４０４で構成されている。また、粘着シート４０２の表面の表層には透明の粘着層が設けられている。
【００４７】
このように、捕獲器４０１を黒色と緑色とに着色することによって、飛翔昆虫の視覚による誘引性を飛躍的に向上させることができる。つまり、捕獲器４０１から離れた場所に存在する飛翔昆虫が、捕獲器４０１の粘着シート４０２を視認すると黒色と緑色との２色に誘引されて捕獲器４０１まで飛来し、粘着シート４０２に留まる。粘着シート４０２の表層には粘着層が設けられているため、飛翔昆虫は粘着層により捕獲される。
【００４８】
尚、粘着シート４０２は、板状ではなく、可撓性を有するリボン状（テープ状）の部材であってもよい。粘着シート４０２の形状は、長方形状に限られるものではなく、任意の形状に形成することができる。また、粘着シート４０２の配色パターン、即ち、色模様は、上記の構成に限られるものではない。例えば、図８，９に示す粘着シート３０２のような配色パターンにしてもよく、任意の配色パターンを採用することができる。さらに、粘着シート４０２は、黒の部分と緑の部分とを含む限り、それ以外の色を含んでいてもよい。
【００４９】
尚、以上の実施形態は、本質的に好ましい例示であって、本発明、その適用物、あるいはその用途の範囲を制限することを意図するものではない。
＜実施例＞
続いて、実施例について説明する。
【００５０】
−試験１−
まず、飛翔昆虫の色選好性を様々な照度条件下で調査した。詳しくは、図１１に示すような、幅３．７ｍ×奥行き３．７ｍ×高さ２．５ｍの試験室１００に高さ７０ｃｍの机１１０を置き、様々な色に着色した試験片４，４，…をその机１１０の上に設置した。試験室１００の一の側壁には２つの窓ガラス１２０，１２０が設けられている。試験室１００内には、この窓ガラス１２０，１２０を介して太陽光が入射している。机１１０は、窓ガラス１２０，１２０が設けられた側壁に寄せて配置されている。試験片４は、透明のプラスチック板と、該プラスチック板に垂直に立てられた１０ｃｍ×１０ｃｍの色画用紙（ニューカラーＲ（リンテック社製））と、誘引剤を含浸してプラスチック板の上に載置された脱脂綿（図示省略）とで構成されている。青（４ＮＣＲ−２３９［１０Ｂ］）、オレンジ（４ＮＣＲ−２１３［５ＹＲ］）、赤（４ＮＣＲ−３１７［５Ｒ］）、黄（４ＮＣＲ−１０８［５Ｙ］）、緑（４ＮＣＲ−３２１［５Ｇ］）、黒（４ＮＣＲ−４１８）の６種類の色画用紙を用いて、６種類の試験片４，４，…を作製した。尚、（）内の記号は、ニューカラーＲの型番であり、［］内の記号はマンセルシステムの色相を表す。脱脂綿は、１．０ｇのリンゴ酢（オタフク社製）を誘引剤として含浸しており、平面視で１．５ｃｍ×１．５ｃｍの大きさを有する。
【００５１】
飛翔昆虫としては、キイロショウジョウバエの成虫を用いた。キイロショウジョウバエは、２００８年に広島県廿日市市で採取し、ウンシュウミカンを餌として累代飼育している系統を用いた。飼育及び放飼試験は、２５℃条件の室内で行った。
【００５２】
試験室１００の２箇所から５０匹ずつ合計１００匹のキイロショウジョウバエを同時に放して、開始３０分後に試験片４，４，…上に定着しているキイロショウジョウバエの数（即ち、誘引数）をカウントした。また、このときの試験室１００内の照度を測定した。試験中は、照明は点灯せず、自然光のままとした。そして、机１１０上において、デジタル照度計（ＬＸ１１０２、東京硝子器械社製）を使用して照度を測定した。照度測定は、試験開始直前と開始３０分後との２回を行い、その平均値を各試験における照度として算出した。
【００５３】
このような試験を複数回行った。試験ごとに、各試験片４の誘引剤を新しいものに取り替えると共に、試験片４，４，…の設置位置をランダムに並び替えた。５００ルクスごとに誘引数を合計し、各照度グループ間でＰｅａｒｓｏｎのカイ２乗法を用いて、各色への寄りつき数の同等性の検定を行った。全ての統計解析にはＳＰＳＳ  １１．０  ｆｏｒ  Ｗｉｎｄｏｗｓ（ＳＰＳＳ  Ｉｎｃ．，Ｃａｒｙ，ＮＣ，ＵＳＡ）を使用した。
【００５４】
その結果（キイロショウジョウバエの寄りつき比）を、図１２に示す。各照度下において、有意に差があった（グラフの右側の異なるアルファベットは、有意に差があることを示している）。尚、各グラフの右側の数字のうち、ｎの値は、試験の回数を示し、分数の分母は試験に供したキイロショウジョウバエの総数を示し、分数の分子は何れかの試験片４に寄りついたキイロショウジョウバエの総数を示す。図１２からわかるように、黒は、どの照度条件においても、高い誘引効果を発揮している。特に、高い照度においては、多くのキイロショウジョウバエが誘引されている。また、緑も、どの照度条件においても、或る程度の誘引効果を発揮している。１５００ルクス以上においては、ほとんどのキイロショウジョウバエが黒か緑の試験片４，４に寄りついている。オレンジ、黄、赤は、１５００ルクス未満の環境下では、或る程度の誘引効果を示すものの、１５００ルクス以上の環境下においては、誘引効果をほとんど示さない。青は、１５００ルクス未満の環境下で、或る程度の誘引効果を示し、１５００ルクス以上２０００ルクス未満の環境下でも、少しではあるが、誘引効果を示している。これらを総合すると、黒と緑は、広い照度範囲において、キイロショウジョウバエの誘引効果を発揮するものと考えられる。さらには、青も、オレンジ、黄、赤に比べて、広い照度範囲において、キイロショウジョウバエの誘引効果を発揮するものと考えられる。
【００５５】
−試験２−
続いて、誘引効果が高い黒に別の色を組み合わせた場合の飛翔昆虫の誘引効果を調査した。詳しくは、試験室１００の机１１０の上に、図１５に示すような、５５ｃｍ×２８ｃｍの白色の障子紙１３０を載置し、その障子紙１３０の上に、２つの試験片５ａ，５ｂ（２つの試験片を区別しないときには、単に「試験片５」と称する。）を載置した。試験片５は、図１３，１４に示すように、半径５ｃｍの円形の台座５１と、台座５１の中心を通る位置に立設された、半径５ｃｍの半円の縦壁５２と、誘引剤を含浸して台座５１上に載置された脱脂綿５３とを有している。脱脂綿５３は、試験１と同様に、１．０ｇのリンゴ酢（オタフク社製）を誘引剤として含浸しており、平面視で１．５ｃｍ×１．５ｃｍの大きさを有している。試験片５は、試験１と同様の色画用紙で作製した。一方の試験片５ａは、黒の色画用紙で作製されたものとし、他方の試験片５ｂは、緑等の色画用紙で作製されたものを用いた。そして、他方の試験片５ｂの色のパターンを、種々変えて試験を行った。具体的には、試験片５ｂとしては、白、黄、赤、青、及び緑の各一色の色画用紙だけで作製したもの、並びに、白、黄、赤、青及び緑の各一色と黒とを組み合わせたものとの計１０種類を作製した。白、黄、赤、青及び緑の各一色と黒とを組み合わせた試験片５ｂは、台座５１のうち縦壁５２で区切られた一方の半円部分が黒の色画用紙で形成され、他方の半円部分が白、黄、赤、青及び緑の何れかの色画用紙で形成されている。さらに、縦壁５２のうち台座５１の黒の部分に隣接する面は、黒の色画用紙で形成され、縦壁５２のうち台座５１の白、黄、赤、青及び緑の何れか一色の部分に隣接する面は、該台座５１と同じ色の色画用紙で形成されている。つまり、縦壁５２は、黒の色画用紙と、白、黄、赤、青及び緑の何れかの色画用紙とを貼り合わせて形成されている。このように構成された試験片５ａ，５ｂを、障子紙１３０の略中央において、４０ｃｍの間隔を空けて載置している。
【００５６】
飛翔昆虫としては、試験１と同様のキイロショウジョウバエの成虫を用いた。そして、試験室１００の２箇所から５０匹ずつ合計１００匹のキイロショウジョウバエを同時に放して、開始３０分後に試験片５ａ，５ｂ上に定着しているキイロショウジョウバエの数（即ち、誘引数）をカウントした。また、このときの試験室１００内の照度は約２０００ルクスで一定とした。照度の測定は、試験１と同様である。
【００５７】
このような試験を試験片５ａを固定とし、試験片５ｂの種類を変えて行った。試験ごとに試験片５ａ，５ｂの誘引剤を新しいものに取り替えて試験を行った。各試験において、黒の試験片５ａに寄りついたキイロショウジョウバエの数を１００として、それに対する他方の試験片５ｂに寄りついたキイロショウジョウバエの数の比率を算出した。試験片５ｂごとに６回、試験を行い、それらを平均することによって、該試験片５ｂの誘引数比とした。
【００５８】
その結果を図１６に示す。図１６からわかるように、単色の試験片においては、白、黄、赤、青又は緑に比べて、黒の試験片の方が高い誘引効果を奏することがわかる。
【００５９】
そして、黒とそれ以外の色とを組み合わせた試験片においては、黒と白、黒と黄、黒と赤の組み合わせについては、白、黄、赤の単色の試験片の場合に比べて、誘引効果が向上するものの、黒の単色の試験片に比べると、誘引効果は低下している。つまり、黒と、白、黄又は赤とを組み合わせると、黒一色の試験片の誘引効果と、白、黄又は赤一色の試験片の誘引効果との間の誘引効果を発揮することがわかる。
【００６０】
それに対して、黒と緑、黒と青の組み合わせについては、緑、青の単色の試験の場合に比べて、誘引効果が向上し、黒一色の試験片に比べても、格段に誘引効果が向上している。つまり、白、黄、赤の結果からすると、黒と緑又は青とを組み合わせると、黒一色の試験片と、緑又は青一色の試験片との間の誘引効果を奏するものと予想される。しかしながら、予想に反し、黒と緑又は青とを組み合わせると、黒一色の試験片の誘引効果を超えて、さらに高い誘引効果を発揮するようになった。
【００６１】
−試験３−
続いて、黒と緑、黒と青の組み合わせについて、緑又は青の色相を変化させた場合の、飛翔昆虫の誘引効果を調べた。詳しくは、試験２と同様に、図１３，１４に示すような試験片５を複数種類作製した。試験片は、黒一色の試験片５ａと、緑又は青と黒とを組み合わせた試験片５ｂとを作製した。試験片５ｂは、試験片２と同様に台座５１の半分を黒で残りの半分を緑又は青で構成すると共に、縦壁５２の一方の面を黒で他方の面を緑又は青で構成している。また、試験片５ｂは、緑又は青の色相が異なる様々な試験片を作製した。具体的には、試験片の半分を、黄（５Ｙ）、黄緑（１ＧＹ）、緑（５Ｇ）、青緑（１０ＢＧ）、青（５Ｂ）、青（１０Ｂ）、青紫（１０ＰＢ）の色画用紙で作製した試験片５ｂを用意した。尚、括弧内の記号はマンセルシステムの色相を表している。試験片５には、試験２と同様に、１．０ｇのリンゴ酢（オタフク社製）を含浸させた脱脂綿を載置している。そして、試験２と同様に、試験室１００の机１１０の上に、図１５に示すような、５５ｃｍ×２８ｃｍの白色の障子紙１３０を載置し、その障子紙１３０の上に、２つの試験片を載置した。一方の試験片を、黒一色で構成された試験片５ａで固定し、他方の試験片を、黄（５Ｙ）、黄緑（１ＧＹ）、青緑（１０ＢＧ）、青（５Ｂ）、青（１０Ｂ）、青紫（１０ＰＢ）の何れか１つと黒とを組み合わせた試験片５ｂを種々変えて試験を行った。試験ごとに試験片の誘引剤を新しいものに取り替えて試験を行った。
【００６２】
飛翔昆虫としては、試験１と同様のキイロショウジョウバエの成虫を用いた。そして、試験室１００の２箇所から５０匹ずつ合計１００匹のキイロショウジョウバエを同時に放して、開始３０分後に試験片５ａ，５ｂ上に定着しているキイロショウジョウバエの数（即ち、誘引数）をカウントした。また、このときの試験室１００内の照度は約５５０ルクスで一定とした。照度の測定は、試験１と同様である。
【００６３】
各試験において、黒一色の試験片５ａに寄りついたキイロショウジョウバエの数を１００として、それに対する他方の試験片５ｂに寄りついたキイロショウジョウバエの数の比率を算出した。試験片５ｂごとに６回、試験を行い、それらを平均することによって、該試験片５ｂの誘引数比とした。
【００６４】
その結果を図１７に示す。図１７では、色相名と共にそれに対応するマンセルシステムの色相を示している。図１７からわかるように、５Ｇや１０Ｂに限られず、１ＧＹ（黄緑）、１０ＢＧ（青緑）又は５Ｂ（青）と黒との組み合わせであっても、黒一色の試験片に比べて、高い誘引効果を発揮することがわかる。つまり、１ＧＹ〜１０ＢＧを含む緑（別の言い方をすれば、緑系）の色又は１Ｂ〜１０Ｂ（好ましくは、５Ｂ〜１０Ｂ）を含む青（別の言い方をすれば、青系）の色と黒色とを組み合わせることによって、飛翔昆虫の誘引効果を飛躍的に向上させることができる。マンセルシステムにおいては、緑と青とは隣接し、色相が連続的に変化している。そのため、緑から青の範囲、即ち、１ＧＹ〜１０Ｂの任意の色と黒色とを組み合わせることによって、飛翔昆虫の誘引効果を飛躍的に向上させることができる。
【００６５】
−試験４−
そこで、試験片ではなく、捕獲器１を着色して、飛翔昆虫の誘引効果を調べた。詳しくは、上部容器３を黒に着色し、下部容器２を、白、緑（５ＧＹ）、オレンジ（５ＹＲ）、赤（５Ｒ）及び黒のそれぞれに着色した５種類の捕獲器１を用意して、キイロショウジョウバエの誘引試験を行った。（）内の記号は、マンセルシステムの色相を表す。薬剤含浸マット２５には、１８．５ｇの赤酢（オタフク社製）を含浸させた。試験１と同様の試験室１００の机１１０の上に、２つの捕獲器１，１を載置して試験を行った。一方の捕獲器１は、上部容器３を黒に、下部容器２を白に着色したもので固定し、他方の捕獲器１は、上部容器３を黒に、下部容器２を緑、オレンジ、赤、黒のそれぞれに着色したもので変えて試験を行った。照度は、約２０００ルクスとした。照度の測定方法は試験１と同様である。
【００６６】
飛翔昆虫としては、試験１と同様のキイロショウジョウバエの成虫を用いた。そして、試験室１００の２箇所から５０匹ずつ合計１００匹のキイロショウジョウバエを同時に放して、開始３０分後に捕獲器１，１に捕獲されたキイロショウジョウバエの数（即ち、捕獲数）をカウントした。
【００６７】
このような試験を他方の捕獲器の種類を変えて行った。試験ごとに捕獲器１，１の薬剤含浸マット２５を新しいものに取り替えて試験を行った。各試験において、黒と白の捕獲器１に捕獲されたキイロショウジョウバエの数を１００として、それに対する他方の捕獲器１に捕獲されたキイロショウジョウバエの数の比率を算出した。黒と緑の捕獲器は８回、黒とオレンジの捕獲器は４回、黒と赤の捕獲器は２回、黒と黒の捕獲器は２回、試験を行った。各試験結果を、平均することによって、黒と白の捕獲器に対する各捕獲器の捕獲数比とした。
【００６８】
その結果を図１８に示す。図１８からわかるように、黒と黒の捕獲器、即ち、黒一色の捕獲器よりも捕獲数比が高いのは、黒と緑の捕獲器だけである。このように、試験片ではなく、実際の捕獲器においても、試験片と同様の結果が得られた。
【００６９】
−試験５−
次に、捕獲器１の下部容器２と上部容器３との何れを黒又は緑に着色することが好ましいのかを調べた。詳しくは、下部容器２及び上部容器３の両方が黒の捕獲器１と、下部容器２が緑（５ＧＹ）で上部容器３が黒の捕獲器１、下部容器２が黒で上部容器３が緑（５ＧＹ）の捕獲器１を用意した。（）内の記号は、マンセルシステムの色相を表す。薬剤含浸マット２５には、１８．５ｇの赤酢（オタフク社製）を含浸させた。試験１と同様の試験室１００の机１１０の上に、２つの捕獲器１，１を載置して試験を行った。一方の捕獲器１は、下部容器２及び上部容器３の両方が黒のもので固定し、他方の捕獲器１は、下部容器２が緑で上部容器３が黒のものと下部容器２が黒で上部容器３が緑のもので変えて試験を行った。照度は、約５５０ルクスとした。照度の測定方法は試験１と同様である。
【００７０】
飛翔昆虫としては、試験１と同様のキイロショウジョウバエの成虫を用いた。そして、試験室１００の２箇所から５０匹ずつ合計１００匹のキイロショウジョウバエを同時に放して、開始３０分後に捕獲器１，１に捕獲されたキイロショウジョウバエの数（即ち、捕獲数）をカウントした。
【００７１】
このような試験を他方の捕獲器の種類を変えて行った。試験ごとに捕獲器１，１の薬剤含浸マット２５を新しいものに取り替えて試験を行った。各試験において、下部容器２及び上部容器３の両方が黒の捕獲器１に捕獲されたキイロショウジョウバエの数を１００として、それに対する他方の捕獲器１に捕獲されたキイロショウジョウバエの数の比率を算出した。捕獲器１ごとに８回、試験を行い、それらを平均することによって、下部容器２と上部容器３との両方が黒の捕獲器に対する各捕獲器の捕獲数比とした。
【００７２】
その結果を、図１９に示す。図１９からわかるように、下部容器２と上部容器３との何れを黒に、何れを緑にしても、捕獲数比が変わらないことがわかる。
【００７３】
−試験６−
続いて、黒及び緑に着色する部分による誘引効果の違いを調べた。詳しくは、前記捕獲器２０１を、黒と緑を用いて様々なパターンに着色した。具体的には、黒一色に着色した捕獲器２０１と、緑（５Ｇ）一色に着色した捕獲器２０１と、縦半分に分割したときの一方の領域を黒に他方の領域を緑（５Ｇ）に着色した捕獲器２０１と、下部容器２０２を黒に上部容器２０３を緑（５Ｇ）に着色した捕獲器２０１と、下部容器２０２を緑（５Ｇ）に上部容器２０３を黒に着色した捕獲器２０１との５種類の捕獲器２０１を用意した。（）内の記号は、マンセルシステムの色相を表す。薬剤含浸マット２２５には、１８．５ｇの赤酢（オタフク社製）を含浸させた。試験１と同様の試験室１００の四隅の１つに机１１０を配置し、その机１１０の上に、２つの捕獲器２０１，２０１を載置して試験を行った。一方の捕獲器２０１は、黒一色で着色した捕獲器２０１で固定し、他方の捕獲器２０１は、残りの４種類の捕獲器２０１で変えて試験を行った。試験ごとに捕獲器２０１，２０１の薬剤含浸マット２２５を新しいものに取り替えて試験を行った。照度は、約５５０ルクスとした。照度の測定方法は試験１と同様である。
【００７４】
飛翔昆虫としては、試験１と同様のキイロショウジョウバエの成虫を用いた。そして、試験室１００の、机１１０を置いた隅とは対角位置の隅から１００匹のキイロショウジョウバエを放して、開始３０分後に捕獲器２０１，２０１に捕獲されたキイロショウジョウバエの数（即ち、捕獲数）をカウントした。
【００７５】
各試験において、黒一色の捕獲器２０１に捕獲されたキイロショウジョウバエの数を１００として、それに対する他方の捕獲器２０１に捕獲されたキイロショウジョウバエの数の比率を算出した。捕獲器２０１ごとに６回、試験を行い、それらを平均することによって、黒一色の捕獲器に対する各捕獲器の捕獲数比とした。
【００７６】
その結果を図２０に示す。図２０からわかるように、黒と緑とで着色された捕獲器２０１は、その着色パターンにかかわらず、黒一色の捕獲器２０１よりも高い誘引効果を示すことがわかる。また、下部容器２０２と上部容器２０３とで、どちらを緑に、どちらを黒に着色しても、誘引効果が同程度であることがわかる。上部容器２０３には入口２３３ｃ，２３３ｃ，…が形成されている。つまり、捕獲器２０１の入口２３３ｃ，２３３ｃ，…の周辺部分が緑であっても、黒であっても誘引効果が略同じであることがわかる。さらには、捕獲器２０１を、黒と緑で上下に色分けするよりも、左右で色分けする方が誘引効果が高いことがわかる。これは、入口２３３ｃ，２３３ｃ，…が形成された上部容器２０３が黒と緑とに着色されているためであると考えられる。つまり、入口２３３ｃ，２３３ｃ，…の周辺部分が、黒又は緑一色で着色されているよりも、黒と緑との両方で着色されている方が、飛翔昆虫を入口２３３ｃ，２３３ｃ，…まで効果的に誘引することができ、捕獲率を向上させることができるものと考えられる。
【００７７】
−試験７−
次に、捕獲器２０１を黒と緑とそれ以外の第三色とで着色した場合の誘引効果の違いについて調べた。詳しくは、黒一色の捕獲器２０１と、下部容器２０２を赤（５Ｒ）で着色し、上部容器２０３の縦半分に分割した一方の領域を黒に他方の領域を緑（５Ｇ）に着色した捕獲器２０１と、下部容器２０２の縦半分に分割した一方の領域を黒に他方の領域を緑（５Ｇ）に着色し、上部容器２０３を赤（５Ｒ）で着色した捕獲器２０１との３種類の捕獲器２０１を用意した。（）内の記号は、マンセルシステムの色相を表す。薬剤含浸マット２２５には、１８．５ｇの赤酢（オタフク社製）を含浸させた。試験１と同様の試験室１００の四隅の１つに机１１０を配置し、その机１１０の上に、２つの捕獲器２０１，２０１を載置して試験を行った。一方の捕獲器２０１は、黒一色で着色した捕獲器２０１で固定し、他方の捕獲器２０１は、残りの２種類の捕獲器２０１で変えて試験を行った。試験ごとに捕獲器２０１，２０１の薬剤含浸マット２２５を新しいものに取り替えて試験を行った。照度は、約５５０ルクスとした。照度の測定方法は試験１と同様である。
【００７８】
飛翔昆虫としては、試験１と同様のキイロショウジョウバエの成虫を用いた。そして、試験室１００の、机１１０を置いた隅とは対角位置の隅から１００匹のキイロショウジョウバエを放して、開始３０分後に捕獲器２０１，２０１に捕獲されたキイロショウジョウバエの数（即ち、捕獲数）をカウントした。
【００７９】
各試験において、黒一色の捕獲器２０１に捕獲されたキイロショウジョウバエの数を１００として、それに対する他方の捕獲器２０１に捕獲されたキイロショウジョウバエの数の比率を算出した。捕獲器２０１ごとに６回、試験を行い、それらを平均することによって、黒一色の捕獲器に対する各捕獲器の捕獲数比とした。
【００８０】
その結果を図２１に示す。図２１からわかるように、捕獲器２０１を黒及び緑に加えて、それ以外の第三色で着色した場合であっても、黒一色の捕獲器２０１に比べて、高い誘引効果を示すことがわかる。ただし、上部容器２０３を第三色で着色するよりも、上部容器２０３を黒と緑とで着色する方が誘引効果が高いことがわかる。これは、上部容器２０３には入口２３３ｃ，２３３ｃ，…が形成されており、これら入口２３３ｃ，２３３ｃ，…の周辺部分を黒と緑で着色する方が誘引効果が高いためであると考えられる。あるいは、飛翔昆虫は通常、捕獲器２０１の上方を飛翔しており、これらの飛翔昆虫にとっては、下部容器２０２よりも上部容器２０３の方が視認し易い。そのため、上部容器２０３を黒と緑で着色する方が、飛翔昆虫の誘引効果が向上するものと考えられる。
【００８１】
−試験８−
続いて、捕獲器の黒の部分と緑の部分との接近度合いによる誘引効果の違いについて調べた。詳しくは、図２２に示すような、半径５ｃｍの円形の試験片６Ａ，６Ｂ，６Ｃを用意した。試験片６Ａは、黒色の部分６ａだけで構成されている。試験片６Ｂは、半円形の黒色の部分６ａと半円形の緑色（５Ｇ）の部分６ｂとで構成されている。試験片６Ｃは、半円形の黒色の部分６ａと半円形の緑色（５Ｇ）の部分６ｂとで形成され、黒色の部分６ａと緑色の部分６ｂとの境界線に沿って帯状の白色の部分６ｄが形成されている。尚、（）内の記号は、マンセルシステムの色相を表している。つまり、試験片６Ｂは、黒の部分６ａと緑の部分６ｂとで形成される境界線６ｃが存在する（即ち、境界線６ｃを挟んで一方の領域には黒の部分６ａが存在し、他方の領域には緑の部分６ｂが存在する）のに対し、試験片６Ｃは、黒の部分６ａと緑の部分６ｂとで形成される境界線が存在しない（即ち、黒の部分６ａと白の部分６ｄとで形成される境界線と、緑の部分６ｂと白の部分６ｄとで形成される境界線だけが存在する）。さらに、試験片６Ｃについては、帯状の白の部分６ｄの幅を１ｍｍ、５ｍｍ、１０ｍｍに変化させた３種類の試験片を用意した。試験片６Ａ，６Ｂ，６Ｃの上には、試験２と同様の、１．０ｇのリンゴ酢（オタフク社製）を含浸させた脱脂綿を載置した。試験１と同様の試験室１００に机１１０を窓ガラス１２０，１２０が設けられた側壁に寄せて配置し、その机１１０の上に、２つの試験片を載置して試験を行った。一方の試験片は、黒の色画用紙で作製した試験片６Ａで固定し、他方の試験片は、残りの４種類の試験片６Ｂ，６Ｃで変えて試験を行った。試験ごとに脱脂綿を新しいものに取り替えて試験を行った。照度は、約５５０ルクスとした。照度の測定方法は試験１と同様である。
【００８２】
飛翔昆虫としては、試験１と同様のキイロショウジョウバエの成虫を用いた。そして、試験室１００の２箇所から５０匹ずつ合計１００匹のキイロショウジョウバエを同時に放して、開始３０分後に試験片上に定着しているキイロショウジョウバエの数（即ち、誘引数）をカウントした。
【００８３】
各試験において、黒一色の試験片６Ａに寄りついたキイロショウジョウバエの数を１００として、それに対する他方の試験片６Ｂ，６Ｃに寄りついたキイロショウジョウバエの数の比率を算出した。試験片６Ｂ，６Ｃごとに６回、試験を行い、それらを平均することによって、該試験片６Ｂ，６Ｃの誘引数比とした。
【００８４】
その結果を図２３に示す。図２３からわかるように、帯状の白の部分６ｄが存在する（即ち、黒の部分６ａと緑の部分６ｂとで形成される境界線が存在しない）試験片であっても、黒と緑で着色されている限り、黒一色の試験片よりは高い誘引効果を示すことがわかる。ただし、帯状の白の部分６ｄの幅が狭い方が誘引効果が高いことがわかる。そして、黒の部分６ａと緑の部分６ｂとで形成される境界線６ｃが存在する試験片６Ｂが最も良好な誘引効果を示すことがわかる。
【００８５】
尚、試験２，４の結果から、試験片か捕獲器１かを問わず、同様の結果が出ているため、構成の異なる捕獲器３０１，４０１であっても、試験１〜８と同様の結果になると考えられる。
【産業上の利用可能性】
【００８６】
以上説明したように、本発明は、飛翔昆虫を捕獲する飛翔昆虫用捕獲器について有用である。
【符号の説明】
【００８７】
１，２０１      飛翔昆虫用捕獲器
２，２０２      下部容器（容器、捕獲器本体）
３，２０３      上部容器（容器、捕獲器本体）
３２ａ          上部入口（入口）
３３            下部入口（入口）
２３３ｃ        入口
６ａ            黒色の部分
６ｂ            緑色の部分
６ｃ            境界線
３０２，４０２  粘着シート（捕獲器本体）
【図１】
0005512295.tif 000002
【図２】
0005512295.tif 000003
【図３】
0005512295.tif 000004
【図４】
0005512295.tif 000005
【図５】
0005512295.tif 000006
【図６】
0005512295.tif 000007
【図７】
0005512295.tif 000008
【図８】
0005512295.tif 000009
【図９】
0005512295.tif 000010
【図１０】
0005512295.tif 000011
【図１１】
0005512295.tif 000012
【図１２】
0005512295.tif 000013
【図１３】
0005512295.tif 000014
【図１４】
0005512295.tif 000015
【図１５】
0005512295.tif 000016
【図１６】
0005512295.tif 000017
【図１７】
0005512295.tif 000018
【図１８】
0005512295.tif 000019
【図１９】
0005512295.tif 000020
【図２０】
0005512295.tif 000021
【図２１】
0005512295.tif 000022
【図２２】
0005512295.tif 000023
【図２３】
0005512295.tif 000024